(57)【要約】【課題】  ＩＣタグ等に用いられる薄型電池の長寿命化を図る構成、及び該電池を用いたＩＣタグの提供。【解決手段】  電解質液２５を収容する第１の層と、互いに離間して配設された正極２３及び負極２４を含む第２の層と、前記第１の層と第２の層を分離する分離部２１と、を備え、電池使用時には、分離部２１による分離機能を解除して第１の層の電解質液２５が第２の層側に移動することで発電が行われる。【選択図】  図３          
2005228714.tif 000002
【特許請求の範囲】
【請求項１】
電解質液を収容する第１の層と、
互いに離間して配設された正極及び負極を含む第２の層と、
前記第１の層と第２の層を分離する分離部と、
を備え、
電池使用時には、前記分離部による分離機能を解除して前記第１の層の電解質液が前記第２の層に移動することで発電が行われる、ことを特徴とする薄型電池。
【請求項２】
前記第１の層及び／又は前記第２の層の内側に対向する分離部に向けて突出する突起部を少なくとも１つ備え、
前記電池使用時には、前記第１及び／又は前記第２の層を前記分離部に向けて押圧し、前記突起部により前記分離部をなす膜を破ることで、分離機能を解除する、ことを特徴とする請求項１記載の薄型電池。
【請求項３】
前記正極及び負極が予め保護膜で囲まれている、ことを特徴とする請求項１記載の薄型電池。
【請求項４】
電解質液を含浸した平面部材と、
前記平面部材の両側に設けられた、正極、負極と、
電解質液を含浸した紙の周りに塗布され電解質液の蒸散を防ぐ部材と、
を含む薄型電池。
【請求項５】
前記平面部材が紙よりなる、ことを特徴とする請求項４記載の薄型電池。
【請求項６】
無線通信部と、電源部と、記憶部と、全体を制御する制御部とを含むＩＣタグが、
光信号を出力する手段と音を出力する手段の少なくとも１つ、又は、
光信号を出力する手段と音を出力する手段の少なくとも１つとセンサ
を備え、
電源部として、請求項１乃至５のいずれか一に記載の薄型電池を有する、ことを特徴とするＩＣタグ。
【請求項７】
ＩＣタグ同士が前記無線通信部を介して通信する、ことを特徴とする請求項６記載のＩＣタグ。
【請求項８】
ＩＣタグが前記無線通信部を介して携帯通信端末と通信する、ことを特徴とする請求項６記載のＩＣタグ。
【請求項９】
前記無線通信部で受け取った信号に基づき、匂、又は香を出力する手段を備えている、ことを特徴とする請求項６記載のＩＣタグ。
【請求項１０】
無線通信部と、電源部と、記憶部と、全体を制御する制御部とを含むＩＣタグが、
光信号を出力する手段と音を出力する手段の少なくとも１つとセンサ、
を備え、
電源部として、請求項１乃至５のいずれか一に記載の薄型電池を有し、
所定の物体又は商品に、前記ＩＣタグを配設しておき、
前記センサの測定結果を、所定の閾値と比較し、比較結果に基づき導出される判定情報を、前記記憶部に記憶する、ことを特徴とするＩＣタグ。
【請求項１１】
請求項６乃至８のいずれか一に記載のＩＣタグと、前記ＩＣタグと無線通信により情報を送受信する装置と、
を有し、ＩＣタグが付されている物体又は人の管理を行う、ことを特徴とする管理システム。
【請求項１２】
無線通信機能を具備するＩＣタグが付された物体を収容する収容装置が、
収容装置外部からの電波を受信して収容装置内部に無線送信し、及び／又は、
収容装置内部からの電波を受信して収容装置外部に無線送信する手段を備えている、ことを特徴とする収容装置。
【請求項１３】
無線通信機能を具備するＩＣタグが付された物体を収容する収容装置を収容する装置が、
装置外部からの電波を受信して装置内部に無線送信し、及び／又は、
装置内部からの電波を受信して装置外部に無線送信する手段を備え、
前記収容装置は、収容装置外部からの電波を受信して収容装置内部に無線送信し、及び／又は、収容装置内部からの電波を受信して収容装置外部に無線送信する手段を備えている、ことを特徴とする収容装置。
【請求項１４】
内部に収容する物体に付されたＩＣタグのデータを送信する際に、前記物体を収容する収容装置の固有データを付加して送信する手段を備えている、ことを特徴とする請求項１２又は１３記載の収容装置。
【請求項１５】
無線通信機能を具備するＩＣタグが付された物体を収容する収容装置が、
収容装置外部と収容装置内部に、互いに電気的に接続されるアンテナをそれぞれ有する、ことを特徴とする収容装置。
【請求項１６】
請求項１２乃至１５のいずれか一に記載の収容装置が、航空機、又は、船舶、又は車両に搭載されるコンテナである、ことを特徴とする収容装置。
【請求項１７】
無線通信機能を具備するＩＣタグが付された物体を収容する収容装置に無線通信機能を設け、
収容装置外部からの電波を受信して収容装置内部のＩＣタグに無線送信するか、及び／又は、
収容装置内部からのＩＣタグからの電波を受信して収容装置外部に無線送信する、
工程を含むことを特徴とするＩＣタグ管理方法。
【請求項１８】
内部に収容する物体に付されたＩＣタグのデータを送信する際に、前記物体を収容する収容装置の固有データを付加して送信する工程を含む、ことを特徴とする請求項１７記載のＩＣタグ管理方法。
【請求項１９】
無線通信機能を具備するＩＣタグが付された物体を収容する収容装置と、
前記収容装置の外部に設けられ、前記ＩＣタグと無線通信し、前記ＩＣタグからのデータの読み出し、又は前記ＩＣタグへのデータの書き込みを行う制御装置と、
を備え、
前記収容装置は、
収容装置外部からの電波を受信して収容装置内部のＩＣタグに無線送信し、収容装置内部からのＩＣタグからの電波を受信して収容装置外部に無線送信する無線通信手段を備え、
さらに、収容装置が他の収容装置を含み入れ子構造に対応して、外側の収容装置は、内側の収容装置と無線通信する手段を備え、
前記制御装置と前記ＩＣタグとの直接の無線通信を可能としてなるシステム。
【発明の詳細な説明】
【技術分野】
【０００１】
本発明はＩＣタグ及びこれを利用したシステムに関する。
【背景技術】
【０００２】
近時、各種電子荷札システム（ＩＣタグ）の実用化が図られている。電子荷札システムは、典型的には、商品に取り付けられ、記憶装置、ＣＰＵ、無線部を備えた超小型のＩＣ（半導体集積回路）と、ＩＣに取り付けられる小型アンテナ、通信可能で携帯できるパソコン・システム（ＰＣシステム）等から構成される。商品に付加された電子荷札の内容（記録内容）は、例えば無線伝送路を介して、非接触的に、パソコンに転送される。例えば棚卸し時には、倉庫に保管されている全ての商品をそれぞれ人手で確認する必要があるため、長時間、多くの作業工数が必要とされる。商品に電子荷札を揃えた商品が倉庫に保管されている場合、電子荷札システムを利用すると、短時間に、それぞれの全ての商品に付いている超小型ＩＣに記録されている情報を、パソコンに取り込むことが出来る。無線伝送で情報をパソコンに取り込むため、ＩＣタグの送信電力が、電波が倉庫の寸法程度にあれば、倉庫の入口にデータ取込用のパソコンシステムを設置することで、商品のそばまで行って、確認する必要が無くなる。
【０００３】
飛行機搭乗・運用システムにおいて、乗客は、カウンタに自分の荷物を持っていき、搭乗券を受け取ると、大型の荷物を預ける。預ける荷物には、カウンタでタグが発行されて、添付され、その内容を印刷した札が、搭乗券に貼り付けられる。そして、到着地では、搭乗券に貼り付けたタグと荷物に付されたタグの一致を確認して受け取るシステムになっている。また、宅配便や実験室、工場での部品管理、病院、家庭等で各種応用が検討されている。
【０００４】
電子荷札に印刷で電池を製造する方法として、配送に関する情報を記憶し、質問器からの質問に応答して記憶された配送情報を送信する応答器を有する電子荷札に、可撓性基板上に集電体としての第１のカーボン電極を印刷し、分離手段を挟んで正極、負極側の一方を第１のカーボン電極の上に形成し、他方の上に集電体としての第２のカーボン電極を形成する方法が知られている（特許文献１）。この特許文献１の荷札は、配送センターにて電波の送受信により電子荷物に記憶された届け先のデータを読み出して荷物の仕分けを行う。
【０００５】
なお、ＩＣタグに用いられる、薄型電池として、重金属を用いず使い捨て可能な印刷により紙状電池（パワーペーパー社等）も知られている。
【０００６】
ＩＣカード等コンパクトなデザインの様々な小型、携帯電気駆動器具用に１次もしくは再充電可能な電源として使用可能な可撓性開放液状電気化学電池も知られている（特許文献２）。
【０００７】
圧膜スクリーン印刷に適したメタルマスクを用いて薄膜電池を製造する方法も知られている（特許文献３）。
【０００８】
第１のシートにはその一面に電池の第１電極面とアンテナ、ＣＰＵを含む回路を形成し、第２のシートには、正極活性物質、負極活性物質、電解質が含浸されたセパレータを間に挟んで、正極活性物質と負極活性物質が互いに逆になるように配置できる孔、ＩＣが配置される孔が配置され、第３のシートには、その一面に電池の第２電極面が形成され、第１、第２、第３のシートは形成面を内面に熱圧着で一体に形成されている（特許文献４）。
【０００９】
さらに、長時間の動作を可能としたシート状電池として、電解質に飽和水溶液に蒸気圧が小さい物質を添加することにより、高分子フィルムを介しての電解液の蒸散が減少し、あるレベル以上の電解液が保持される結果、電池寿命が電解活性物質量に依存するようになり、電池寿命を長くすることを可能としたシート状電池も知られている（特許文献５）。
【００１０】
アンテナ、電池、記憶手段、通信手段、制御手段を備えた電子荷札に、センサ（位置検出手段）を設けて位置を検出し、貨物に取り付けられ、センタ装置に位置データを送信することで、貨物の積み替え時に記録をとることを排しながら、貨物の追跡を可能としたシステムも知られている（特許文献６）。
【００１１】
物体を探し出すことを可能とする物体存在位置探知システムとして、受信した信号が物体を代表する認識番号に一致したら作動する音、光及び／又は応答信号の発生手段を備えたタグも知られている（特許文献７）。
【００１２】
ＩＣタグに受光手段と発光手段を備え、受光手段に光を受光したＩＣタグのみ電力を生成する構成とし、同時に多数のＩＣタグが動作することを防止するようにしたＩＣタグも知られている（特許文献８）。
【００１３】
特定の識別コードを含んだ電波の送信を行うＩＣタグを受付において名札とともに来場者に配布し、来場者のイベント会場における現在位置、来場者がどの場所にどれ位の時間滞在していたかという情報を得る現在位置特定システムも知られている（特許文献９）。
【００１４】
ＩＣタグが設定時刻になると送光を行うＩＣタグも知られている（特許文献１０）。
【００１５】
【特許文献１】特開平５−２１７５８７号公報
【特許文献２】特開２００３−２９７３７４号公報
【特許文献３】特開２００３−２７６３５３号公報
【特許文献４】特開平８−７７３１５号公報
【特許文献５】特開平５−１３５７７８号公報
【特許文献６】特開２００３−１５１０８６号公報
【特許文献７】特開２００３−２３３８５号公報
【特許文献８】特開２００３−３１７０５０号公報
【特許文献９】特開２００１−２５６４５２号公報
【特許文献１０】特開２０００−２２７９４８号公報
【発明の開示】
【発明が解決しようとする課題】
【００１６】
本発明の目的は、音、光、あるいはセンサを有し、各種用途に適用して好適なＩＣタグを提供することにある。
【００１７】
本発明は、ＩＣタグ間同士の通信を可能とするＩＣタグを提供することにある。
【００１８】
本発明の他の目的は、無線通信を行うＩＣタグの無線通信を確保するコンテナ等の収容装置及びＩＣタグの管理方法を提供することにある。
【００１９】
本発明の他の目的は、使用前に出力しないことで長寿命化を図るシート状電池を提供することにある。
【課題を解決するための手段】
【００２０】
前記目的を達成する本発明の１つのアスペクトに係る電子荷札（ＩＣタグ）の電池は、電解質液を収容する第１の層と、互いに離間して配設された正極及び負極を含む第２の層と、前記第１の層と第２の層を分離する分離部と、を備え、電池使用時には、前記分離部による分離機能を解除して前記第１の層の電解質液が前記第２の領域に移動することで発電が行われる。
【００２１】
本発明において、前記第１の層及び／又は前記第２の層の内側に対向する分離部に向けて突出する突起部を少なくとも１つ備え、電池使用時には、前記第１及び又は前記第２の層を前記分離部に向けて押圧し、前記突起部により前記分離部をなす膜を破ることで、分離機能を解除する。本発明において、前記正極及び負極が予め保護膜で囲まれている構成としてもよい。
【００２２】
本発明の他のアスペクトに係る電子荷札の電池は、電解質液を含浸した紙と、前記紙の両側に設けられた、正極、負極と、電解質液を含浸した紙の周りに塗布され電解質液の蒸散を防ぐ油性部材と、を含む。
【００２３】
本発明の１つのアスペクトに係る電子荷札は、無線通信部と、電源部と、記憶部と、全体を制御する制御部とを含むＩＣタグが、光信号を出力する手段と音を出力する手段の少なくとも１つ、又は、光信号を出力する手段と音を出力する手段の少なくとも１つとセンサを備え、電源部として、上記した本発明の電池を有する。
【００２４】
本発明の他のアスペクトに係る電子荷札は、荷札同士が前記無線通信部を介して通信する。電子荷札が前記無線通信部を介して携帯通信端末と通信する構成としてもよい。前記本発明の他のアスペクトに係る電子荷札は、無線通信部で受け取った信号に基づき、香を出力する手段を備えた構成としてもよい。
【００２５】
本発明の他のアスペクトに係る容器は、無線通信機能を具備するＩＣタグが付された物体を収容する容器が、容器外部からの電波を受信して容器内部に無線送信し、及び／又は、容器内部からの電波を受信して容器外部に無線送信する手段を備えている。
【００２６】
本発明の他のアスペクトに係る方法は、無線通信機能を具備するＩＣタグが付された物体を収容する収容装置に無線通信機能を設け、
収容装置外部からの電波を受信して収容装置内部のＩＣタグに無線送信するか、及び／又は、
収容装置内部からのＩＣタグからの電波を受信して収容装置外部に無線送信する、
工程を含む。
【００２７】
本発明の他のアスペクトに係る方法は、内部に収容する物体に付されたＩＣタグのデータを送信する際に、前記物体を収容する収容装置の固有データを付加して送信する工程を含む。
【発明の効果】
【００２８】
本発明によれば、音、光、あるいはセンサの組み合わせにより、各種用途に適用して好適な汎用型のＩＣタグを提供することができる。
【００２９】
本発明によれば、無線通信を行うＩＣタグの無線通信を確保するコンテナを提供することができる。
【００３０】
本発明の電池によれば、長寿命化を図ることができる。
【発明を実施するための最良の形態】
【００３１】
本発明についてさらに詳細に説述するため、添付図面を参照してこれを説明する。
【００３２】
図１は、本発明の一実施の形態の構成を示す図である。図１を参照すると、電子荷札（ＩＣタグ）の超小型ＩＣは、ＩＣコントローラ１０１と、スイッチモジュール１０２と、電池１０３と、発光素子１０４と、ピエゾ駆動素子（圧電素子）１０５を備えている。ＩＣコントローラ１０１の制御に基づき、スイッチモジュール１０２は、発光素子１０４及び／又はピエゾ駆動素子１０５の電源供給を制御する。なお、図１には図示されないが、アンテナ、ＲＦ信号の送信、受信を行い、変復調を行うＲＦ部、及びデジタルベースバンド信号の符号化・復号を行う回路等を備え、ＩＣコントローラ１０１は、図示されない記憶部を有し、記憶部に記憶されている情報を読み出して無線送信し、また、図示されないシステムから受信したデータを記憶部へ書き込み保持する構成としてもよい。ＩＣタグ同士が端末間で無線通信する構成としてもよい。
【００３３】
発光素子１０４は、発光ダイオード又はＥＬ（Ｅｌｅｃｔｒｏ  Ｌｕｍｉｎｅｓｃｅｎｃｅ）蛍光体から構成される。ピエゾ素子１０５は、電子荷札のサイズ、厚さに対応させて、小型で薄型のものが用いられる。電池１０３は、これらの素子の駆動電源をなす。
【００３４】
発光モードやスピーカが出力する情報、及び、制御はＩＣコントローラ１０１が行い、それの制御は、図示されないＰＣシステム側からオンデマンド方式で行う。省エネルギー化と、低電力での長距離通信（１０ｍ−１００ｍ程度）の両立を可能としている。
【００３５】
多数の商品が倉庫にあると、ある商品が倉庫内にあることは分かっても、当該商品がどこにあるかを短時間に特定するには、短時容易でない場合もある。電子荷札の発光素子が発光し、また、振動子で振動、又は音を出すことで、短時間で、容易、正確に確認することができる。
【００３６】
２つのＩＣタグの一致を最終的には人間が確認を行うことになるが、音や光で電子荷札自身が示すことにより、ＰＣシステムを保持していない係員でも、容易に確認することが出来る。倉庫管理に限定されず、実験室や工場、病院など多くの部品、薬品管理、危険物管理等に有効である。
【００３７】
小型薄型のピエゾ素子の既製品を、電子荷札へ実装するようにしてもよい。また、小型薄型の発光ダイオードやＥＬ蛍光体の既製品を電子荷札へ実装するようにしてもよい。
【００３８】
あるいは、制御する機器として発熱体を使い、それに香料を添付してもよい。ＰＣシステムからの制御で発熱体の温度を制御して、におい、香料からの芳香を雰囲気に発散させてもよい。視覚、聴覚障害者に有効となる場合もある。
【００３９】
ＩＣタグ側に、図１の発光素子１０４やピエゾ駆動素子１０５に替えて、各種センサを取り付け、商品の品質などの監視を行うシステムを構成してもよい。センサが測定したデータをタグが一時的に記憶装置に保存し、ＰＣシステムに送信する構成とされる。
【００４０】
ＩＣタグに温度センサを取り付け、一定時間度に温度測定を行い、商品の輸送・保管中の温度履歴を把握できる。温度履歴タグは公知であるが、本発明も、冷凍輸送される食料品等の管理に適用できる。応力計、圧力計、におい計や水分計、酸素濃度計、マイクロフォン（音声データセンサ）等を配設してもよい。商品の品質管理が著しく向上する簡便なシステムを実現することができる。センサは、電子荷札のサイズ、厚さに対応させて、小型で薄型のものが用いられる。
【００４１】
また、水分計は、商品オムツの中に配設しておくことで、オムツの汚れ検知を行うことができる。水分計の測定結果である水分濃度を所定の閾値と比較し、水分濃度が所定の閾値に達した場合、汚れの発生と判定し記憶部する。家庭での利用は、携帯通信端末（携帯電話、ＰＨＳ）、あるいは、無線ＬＡＮに接続したパソコン、家庭内で利用する電話の親機・子機などのシステムに、データ処理システム用のソフトウェアをインストールすることで、監視等のシステムが実現可能となる。
【００４２】
携帯電話機（モバイルフォン）などにタグ・データ取り込み系が組み込まれると、店舗の商品の詳細データを、携帯電話機の表示画面に表示させることが出来る。生産・販売者のみならず、消費者が、詳細なデータを基に、商品を選択することができる。商品の安全性の確保にも貢献する。
【００４３】
病院などで患者にＩＣタグを持たせることで、患者同定や患者に知らせる必要な情報を、発光や音で行うことができる。同様な応用は、美容院や食堂などでも利用できる。
【００４４】
また、複数国間で、プロトコル、書き込むデータ等の仕様を共通化することで、輸出・輸入業務に適用してもよい。電波を利用するシステムでは、盗聴の可能性もあるため、データ信号や制御信号の暗号化（例えば公開鍵・秘密鍵によるPKIシステム）やパスワードなどが利用される。
【００４５】
図２は、本発明の実施例として、電子荷札をコンテナ１０を利用したときのシステム構成を示している。航空機や船舶に積み込む荷物は、コンテナが利用される。コンテナ１０は、アルミニウムやその他の金属材料で作製されており、電波が内部まで到達しにくい（図２のシールド１１）。特に、タグには、送信電力も小さい。コンテナ内部と外部にそれぞれアンテナを配設し、コンテナ内部の商品のタグと外で、人が利用するPCシステム（不図示）の間をつなぐ。
【００４６】
また、どのコンテナにどの商品が入っているかのデータも、ＰＣシステムに取り込めるようなことが容易に行うことができる。より管理が容易になる。コンテナ以外にも、危険物などを保管する棚や保管庫などは、ステンレスや、耐食性の金属材料で作製される。このため、電波が届き難い。棚や保管庫にも、図２に示したように、内部と外部にそれぞれアンテナ１２、１３を備える構成とする。部分的に電波が通りやすい場所（窓など）に、アンテナを設け、内部・外部用を兼用してもよい。
【００４７】
また、図２のコンテナを収容する装置（コンテナであってもよい）が、装置外部からの電波を受信して装置内部に無線送信し、及び／又は、装置内部からの電波を受信して装置外部に無線送信する手段を備えた構成としてもよい。この場合、コンテナが、コンテナ外部からの電波を受信してコンテナ内部に無線送信し、及び／又は、コンテナ内部からの電波を受信してコンテナ外部に無線送信する機能を備え、ＩＣタグが付された物体を入れる収容装置が多重（入れ子）となっている場合にも、それぞれの収容装置で無線通信機能を備えていることから、最も外の容器外部から、最も内側の容器に収容される物体のＩＣタグと無線通信することができる。さらに、内部に収容する物体のＩＣタグのデータを送信する際に、前記物体を収容する収容装置の固有データを付加して送信する手段を備えてもよい。この場合、物体を収容する容器の無線通信機能で固有のデータ（識別情報）を付加してもよい。あるいは、ＩＣタグのメモリに物体を収容する容器の識別情報を記録し、データの送信時に、ヘッダー部、又は、データ部に、容器の識別情報を付加して送信するようにしてもよい。なお、コンテナは、航空機搭載用に限定されるものでなく、船舶、あるいは貨物列車、運搬車等の車両等に搭載されるコンテナであってもよい。
【００４８】
特に、現在航空機等では高い安全性が求められており、乗客が搭乗手続きを行ってから、実際に航空機に搭乗しないことになった場合、出発前に預けた荷物を航空機から降ろすことになる。この作業を手際よく行うことが、航空機の出発・到着時刻の管理の重要な鍵となる。しかしながら、大型機では、積み込むコンテナの数は３０個から４０個を超す。この中からすぐに搭乗を行わなかった乗客の預かり荷物を短時間で見つけて取り出すにあたり、コンテナの外部と内部にアンテナを設置した構成とし、荷物に電子荷札を備えたシステムが適用される。
【００４９】
航空機（ボーイング社製のジャンボ機等）への荷物をコンテナに収容して積み込む場合、コンテナはアルミニウム等電波を遮蔽するが、本実施例によれば、コンテナに無線通信機能を具備しているため、内部に収容したＩＣタグと外部コントローラとの通信を可能としている。コンテナは航空機の荷室に配置されるが、航空機外部からの電波は、遮蔽されほとんどとどかない。本実施例のコンテナの構成によれば、航空機外部から、直接、コンテナ内部の荷物のＩＣタグと無線通信することを可能としている。
【００５０】
更に、搭乗券に貼り付ける荷札のデータと預けた荷物に取り付ける、なが細く印刷した紙製のタグは、現在バーコードで管理している。しかし認識率は芳しくない。本発明の電子荷札システにより、システムの認識率が特段に向上することが期待されている（例えば９９．９９％程度）。現状より、著しく安定で、有効な管理が行うことができる。係員が、小さな字で印刷されている文字を確認することなく、ドアを通る際に、搭乗券と預けた荷物についているタグの番号が違っている（又は、一致している）と、送光したり音を出したりすれば、容易に短時間で多くの乗客をさばくことができる。患者と薬の組み合わせなどにも利用できる。
【００５１】
更に、搭乗券に電子荷札システムを導入すると、出発間際になって航空機に搭乗しない乗客に、搭乗券が光ったり音を出したりすることによって、搭乗を誘導したりすることができる。大きな空港では、アナウンスによる乗客への呼びかけがほかの乗客への大きな騒音の原因になっているので、本発明のシステムは、空港の環境の改善に好適といえる。
【００５２】
更に、ＩＣタグから送信される無線信号を受信する装置（簡易基地局あるいは親機）を、空港内に複数設置し、タグからの電波をどこでも受信可能にすれば、航空会社は、登場予定者が、現在空港内のどこにいるかが容易に同定することができる。電子荷札システムは、空港内の搭乗システムに適用して好適とされる。
【００５３】
次に、このような電子荷札システムの構成について説明する。
【００５４】
薄型小型の電池は、厚さが０．５ｍｍ程度の製品が実用化されている。したがって、この様な薄いシート状の電池は、片側にのりを付けて紙などに貼り付け可能にすれば、既製品をそのまま利用することができる。
【００５５】
更に、安価にするために、薬などを入れる容器として用いられるラミネートの中に電池を組み込んだ電池も販売されている。これらを利用することになるが、これらの電池は長寿命とされる。さらに、２次電池として、充電可能な製品もある。本発明の電子荷札システムでは、荷札に実装される電池は１ヶ月程度の寿命があれば十分である。
【００５６】
一方、電池として利用する前には、十分な保存時間があることが望ましい。
【００５７】
図３は、本実施例のラミネート型（積層構造）の薄型電池の構成を示す図である。電解質とイオン化傾向の異なる２つの電極２３、２４が設けられている。一方、長時間、電解質に金属が接触すると、自己放電が起こり、保存寿命を短くする。そこで、ラミネート内部を薄いフィルム２１で２つの部屋に分け、一方に、電解質液２５を入れ、他方に、２つの電極２３、２４を、紙などの、電解質液２５が滲み込み２つの電極２３、２４を短絡させないような保護膜２２で包み込む。内側に小さな突起物２６を入れておく。更に、紙などに貼るため、一方に接着剤を塗布しておく。電解質液２５と電極２３、２４とが接触していないため、自己放電がなくなり、利用する前の保存時間を延ばすことができる。
【００５８】
電池を利用するときには、紙などに貼ると同時に、ローラーなどを通して、一度、両面から圧を掛ける。すると、突起物２６が、ラミネート内部を、２つの部屋に分けているフィルム２１を破り、電解質液２５が、電極２３、２４が設置されている部屋に移動し、電池として発電を行う。
【００５９】
また、タグ用の電池として利用する前に、内部のフィルムが破れているかどうかは、外に取り出した電圧を調べればすぐに分かるので、電池を組み込むときにチェックすれば良い。タグシートに張り込む前に電池の電圧が出ているようであれば、当該電池の寿命は短いことがわかる。
【００６０】
安価に電子荷札システムを作るには、ラミネート型の電池のほかに、印刷電池を使っても良い。
【００６１】
図４は、本発明の実施例の印刷電池の構成を示す図である。紙は、内部に多くの隙間を持ち、電気絶縁材料である。紙３２に、電解質液を滲み込ませ（図４の電解質物質３１）、紙３２の両側に、イオン化傾向の異なった金属（導電性インク）３３、３６を印刷することで電池になる。導電性インク３３、３６には銅箔３５の引き出しパタンが印刷される。電解質液が乾かないように、油やロウなどの材料（油性物質）３７を周りに印刷する。利用中に電解液が乾くこと（及び蒸散）を防ぐためである。電極表面にも、電気絶縁などを兼ねてフィルム３４などを印刷する。あるいはフィルムを貼る。
【００６２】
電極材料と電解液の組み合わせで電圧が決まり、印刷面積によって内部抵抗及び最大電流を容易に変更できる。印刷技術を用いると、フレキシブルで用途に応じた電池の製作が可能になる。現在、超小型ＩＣに接続するアンテナも、導電性塗料を用いて印刷して製造されている。ＩＣタグのベースになる紙に、機器を直接印刷することで、安価で合理的なシステムを実現できる。
【００６３】
印刷アンテナは、塗料に炭素を添加して導電性を確保している。電極としては、炭素とイオン化傾向が異なった金属の薄膜を貼ってもよい。また、導電性塗料に、微細な金属粉を溶かして印刷してもよい。印刷機は、ＰＣシステムによって管理され、タグ発行時にデータを超小型ＩＣに書き込むことが出来るようすることによって、より合理的なシステムとなる。
【００６４】
同様に、ＥＬ蛍光体も最近は印刷によって製作されているので、公知の印刷方法を用いて実現することができる。
【図面の簡単な説明】
【００６５】
【図１】本発明の第１の実施例の構成を示す図である。
【図２】本発明の第２の実施例の構成を示す図である。
【図３】本発明の第３の実施例の構成を示す図である。
【図４】本発明の第４の実施例の構成を示す図である。
【符号の説明】
【００６６】
１０  コンテナ
１１  シールド
１２  アンテナ
１３  アンテナ
２１  フィルム
２３  正極
２４  負極
２５  電解質液
２６  突起物
３１  電解質物質
３２  紙
３３  導電性インク（正極）
３４  絶縁フィルム
３５  銅箔
３６  導電性インク（負極）
３７  油性物質
１０１  ＩＣコントローラ
１０２  スイッチモジュール（スイッチ）
１０３  電池
１０４  発光素子
１０５  ピエゾアクチュエータ（圧電素子）
【図１】
2005228714.tif 000003
【図２】
2005228714.tif 000004
【図３】
2005228714.tif 000005
【図４】
2005228714.tif 000006